(57)【要約】【課題】浴槽水を上昇させる追焚き運転と、浴槽水がもつ熱量を給湯用熱量として活用する風呂熱回収運転とを組み合わせて、浴槽水の温度調節とエネルギー利用の両立を図る給湯装置を提供する。【解決手段】タンクＥＣＵ２は、風呂自動運転の実施中に、風呂目標温度と浴槽水の温度とに応じて、追焚き用熱交換器４１による追焚き運転と風呂熱回収用熱交換器５１による風呂熱回収運転とのいずれかを選択して実行し、浴槽の水温を風呂目標温度に制御する。【選択図】図３
2014178064.tif 000002
【特許請求の範囲】
【請求項１】
水を沸き上げて給湯用水を生成する加熱装置（２０）と、
前記加熱装置によって生成された給湯用水を貯えるタンク（１０）と
前記タンクに貯められた給湯用水を使用して、内部に温水が貯められる浴槽（６０）と、
前記浴槽内に貯められた浴槽水と前記タンク内の上部の給湯用水とを熱交換して、前記浴槽水を追焚きする追焚き用熱交換手段（４１）と、
前記浴槽内に貯められた浴槽水と前記タンク内の下部の給湯用水とを熱交換して、前記浴槽水の熱量を前記タンク内に回収する風呂熱回収手段（５１）と、
前記浴槽に貯める浴槽水の温度を検出する温度検出手段（６６）と、
前記温度検出手段によって検出された浴槽水の検出温度を風呂目標温度に近づける風呂自動運転を制御する制御装置（２）と、
を備え、
前記制御装置は、風呂自動運転の実施中に、前記風呂目標温度と前記浴槽水の検出温度とに応じて、前記追焚き用熱交換手段による追焚き運転と前記風呂熱回収手段による風呂熱回収運転とのいずれかを選択して実行し、前記浴槽水の検出温度を前記風呂目標温度に近づけるように制御することを特徴とする給湯装置。
【請求項２】
前記制御装置は、
前記風呂目標温度が前記浴槽水の検出温度よりも高い場合は、前記追焚き運転を実行し、
前記風呂目標温度が前記浴槽水の検出温度よりも低い場合は、前記風呂熱回収運転を実行し、さらに前記風呂目標温度が前記浴槽水の検出温度よりも高くなると前記風呂熱回収運転を終了することを特徴とする請求項１に記載の給湯装置。
【請求項３】
前記タンク内の下部の給湯用水の温度を検出するタンク下部温度検出手段（３０ｇ）を備え、
前記制御装置は、前記風呂熱回収運転の実施中に、前記風呂目標温度が前記浴槽水の検出温度よりも高くなるか、前記浴槽水の検出温度よりも前記タンク内の下部の給湯用水の前記検出温度が高くなるかのいずれかが成立した場合には、前記風呂熱回収運転を終了することを特徴とする請求項２に記載の給湯装置。
【請求項４】
前記タンク内の下部の給湯用水の温度を検出するタンク下部温度検出手段（３０ｇ）を備え、
前記制御装置は、前記浴槽に貯められた浴槽内熱量を算出する浴槽内熱量手段と、前記算出された浴槽内熱量を、前記風呂目標温度に適合する目標浴槽内熱量にするために、前記浴槽に供給する必要のある補充水量を算出する補充水量算出手段と、を有し、
前記制御装置は、風呂自動運転の実施中に、前記風呂目標温度が前記浴槽水の検出温度よりも低く、かつ、前記タンク内の下部の給湯用水の検出温度が前記浴槽水の検出温度よりも高い場合には、前記補充水量算出手段によって算出された補充水量の水を前記浴槽に供給することを特徴とする請求項１ないし請求項３のいずれか一項に記載の給湯装置。
【発明の詳細な説明】
【技術分野】
【０００１】
本発明は、浴槽に貯めた温水の温度を上昇させる追焚き運転と、浴槽に貯めた温水の熱を回収する風呂熱回収運転とを実施できる給湯装置に関する。
【背景技術】
【０００２】
特許文献１に記載の給湯装置は、風呂追焚き手段で浴槽内の湯水に与えた熱量を演算して記憶する熱量演算記憶手段と、熱量演算記憶手段とに記憶された熱量に基づいて沸き上げ温度を補正する沸き上げ温度補正手段と、を備える。当該給湯装置は、利用者が追焚きを行った実績に基づいて沸き上げ温度を補正するために、風呂追焚きの使用頻度が高い家庭には必要な貯湯温度を確保し、使用頻度が低い家庭には低温の沸き上げ温度にして、利便性と省エネルギー性の両立を図っている。
【先行技術文献】
【特許文献】
【０００３】
【特許文献１】特開２００９−２８１６５８号公報
【特許文献２】特開２０１０−１９６９９２号公報
【発明の概要】
【発明が解決しようとする課題】
【０００４】
特許文献１の給湯装置では、浴槽の水温が設定温度よりも低いときには、ユーザーが手動で要求する追焚き運転や、風呂自動モードでの追焚き運転によって、浴槽の水温を高くすることができる。しかしながら、水温を低下させたい場合には、たし水をするしかない。さらにたし水を行う場合には、浴槽の温水に低温の水が混ざることにより、浴槽の温水がもつ熱量が活用されずに無駄になるというエネルギー面の問題があり、また、節水面においても問題がある。
【０００５】
また、浴槽の温水の熱量を貯湯タンク内に回収する風呂熱回収機能も併せ持つ装置として、特許文献２の給湯装置が知られている。この給湯装置では、追焚き運転と風呂熱回収運転を切り換えて実施することができる。追焚き運転は、ユーザーによる追焚き運転即時実施を要求する操作や、予めタイマーで設定された時間等により連動したスイッチ操作によって開始される。風呂熱回収運転は、ユーザーによる風呂熱回収運転即時実施を要求する操作や、予めタイマーで設定された時間等により連動したスイッチ操作によって開始される。さらに、浴槽の水温と貯湯タンク下部の水温との温度差がない場合や、貯湯タンク下部の水温が浴槽の水温よりも高温である場合には、風呂熱回収運転は実施しない。
【０００６】
このように特許文献２の給湯装置では、ユーザーの操作に応じて追焚き運転及び風呂熱回収運転のそれぞれを実施するため、ユーザーの好みに応じた運転の切り換えが行われるにすぎず、十分なエネルギー利用が行われているとはいえない。
【０００７】
そこで、本発明の目的は、浴槽水を上昇させる追焚き運転と、浴槽水がもつ熱量を給湯用熱量として活用する風呂熱回収運転とを組み合わせて、浴槽水の温度調節とエネルギー利用の両立を図る給湯装置を提供することにある。
【課題を解決するための手段】
【０００８】
上記目的を達成するために以下の技術的手段を採用する。すなわち、請求項１に記載の給湯装置に係る発明は、水を沸き上げて給湯用水を生成する加熱装置（２０）と、加熱装置によって生成された給湯用水を貯えるタンク（１０）と、タンクに貯められた給湯用水を使用して、内部に温水が貯められる浴槽（６０）と、浴槽内に貯められた浴槽水とタンク内の上部の給湯用水とを熱交換して、浴槽水を追焚きする追焚き用熱交換手段（４１）と、浴槽内に貯められた浴槽水とタンク内の下部の給湯用水とを熱交換して、浴槽水の熱量をタンク内に回収する風呂熱回収手段（５１）と、浴槽に貯める浴槽水の温度を検出する温度検出手段（６６）と、温度検出手段によって検出された浴槽水の検出温度を風呂目標温度に近づける風呂自動運転を制御する制御装置（２）と、を備え、
制御装置は、風呂自動運転の実施中に、風呂目標温度と浴槽水の検出温度とに応じて、追焚き用熱交換手段による追焚き運転と風呂熱回収手段による風呂熱回収運転とのいずれかを選択して実行し、浴槽水の検出温度を風呂目標温度に近づけるように制御することを特徴とする。
【０００９】
この発明によれば、浴槽水の温度が風呂設目標温度に達していないときには追焚き運転を実施し、浴槽水の温度が風呂目標温度を超えているときには風呂熱回収運転を実施して、ユーザーの意思によらずに、ユーザーの快適性を確保する風呂自動運転を実現できる。すなわち、両運転が連携した制御により、ユーザーの好みによる運転の選択でなく、ユーザーの望む風呂目標温度を基準にして、風呂目標温度を満たしつつ浴槽水の熱量を給湯用熱量として有効活用できる制御を実現できる。
【００１０】
このように、本発明によれば、浴槽水を上昇させる追焚き運転と、浴槽水がもつ熱量を給湯用熱量として活用する風呂熱回収運転とを組み合わせて、浴槽水の温度調節とエネルギー利用の両立を図る給湯装置を提供できる。
【００１１】
なお、上記各手段の括弧内の符号は、後述する実施形態に記載の具体的手段との対応関係を示している。
【図面の簡単な説明】
【００１２】
【図１】本発明を適用する第１実施形態に係る給湯装置の構成図である。
【図２】給湯装置の制御に関わる構成図である。
【図３】第１実施形態の給湯装置の風呂自動運転における温調制御の処理手順を示すフローチャートである。
【図４】第２実施形態の風呂自動運転における温調制御の処理手順を示すフローチャートである。
【図５】図４における風呂降温制御のサブルーチンの処理手順を示すフローチャートである。
【発明を実施するための形態】
【００１３】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示してなくとも実施形態同士を部分的に組み合せることも可能である。
【００１４】
（第１実施形態）
本発明を適用する第１実施形態を以下に説明する。第１実施形態に係る給湯装置１の構成について図１〜図３を参照して説明する。
【００１５】
給湯装置１は、水を加熱するヒートポンプユニット２０と、加熱された温水が貯えられるタンク１０と、各種配管１１〜１４と、追焚き用回路４０と、風呂熱回収用回路５０と、各種運転を制御する制御装置の一例であるタンクＥＣＵ２と、を備える。タンク１０とヒートポンプユニット２０は、設置現場において一体化または離間して設置されている。
【００１６】
給湯装置１は、一般家庭用として使用されるものであり、ヒートポンプユニット２０によって生成される高温の湯をタンク１０内に貯えるとともに、貯えた湯を給湯用の湯として、台所、洗面所等の給湯端末や風呂へ供給するようになっている。さらに、給湯装置１は、給湯機能の他に、浴槽６０に貯められた浴槽水によるタンク１０内下部の湯水への熱回収を行う風呂熱回収運転機能と、タンク１０内上部の高温水によって浴槽水を加熱する追焚き運転機能と、を有する。
【００１７】
タンク１０は、給湯に用いる給湯用水を貯える容器であって、耐食性に優れた金属製、例えばステンレス製の容器である。タンク１０は、その外周部に図示しない断熱材が配置されており、給湯用の湯を長時間に渡って保温することができるようになっている。
【００１８】
タンク１０は略円筒形形状であり、その底面に導入口１００が設けられている。この導入口１００にはタンク１０内に水道水を供給する導入用流路としての導入管１１０が接続されている。この導入管１１０には、給水サーミスタ１８及び流量カウンタ（図示せず）が設けられている。給水サーミスタ１８は導入管１１０内の温度を検出するための電気信号をタンクＥＣＵ２に出力し、流量カウンタは導入管１１０内の流量を検出するための電気信号をタンクＥＣＵ２に出力する。
【００１９】
また、導入口１００の上流側には、導入管１１０を流れてくる水道水の水圧を所定圧に減圧するとともに、断水等における湯の逆流を防止する減圧逆止弁（図示せず）が設けられている。また、導入管１１０には、上流側の部位から分岐する給水管１１が接続されている。給水管１１の下流端は、給湯用混合弁１５及び湯張り用混合弁１６に繋がれている。
【００２０】
タンク１０の最上部には導出口１０１が設けられ、この導出口１０１にはタンク１０内に貯えられた給湯用の湯のうち、高温の湯を導出するための給湯用流路としての高温取出管１２が接続されている。また、高温取出管１２の経路途中には、逃がし弁（図示せず）が配設された排出配管が接続されており、タンク１０内の圧力が所定圧以上に上昇した場合には、タンク１０内の湯を外部に排出して、タンク１０等にダメージを与えないようになっている。
【００２１】
タンク１０の外壁面には、給湯用水の貯湯量及び貯湯温度を検出するための貯湯温度検出手段としての複数（本例では７つ）のタンク水温サーミスタ３０ａ〜３０ｇが縦方向（タンク１０の高さ方向）にほぼ等間隔に配置されている。タンク水温サーミスタ３０ａ〜３０ｇは、総称してタンク水温サーミスタ３０ともいう。タンク水温サーミスタは、高い位置から順に、３０ａ、３０ｂ、３０ｃ、３０ｄ、３０ｅ、３０ｆ、３０ｇであり、各サーミスタはタンク１０内に満たされた給湯用水の各水位レベルでの温度信号をタンクＥＣＵ２に出力する。特に、タンク水温サーミスタ３０ｇは、タンク１０内の最下部に設けられており、タンク底部の水温を検出するタンク下部温度検出手段である。
【００２２】
タンク水温サーミスタ３０ａ〜３０ｇから送信される温度情報に基づいて、タンク１０内上方の沸き上げられた温水とタンク内下方の沸き上げられる前の水との温度境界位置を検出することができ、これにより貯湯量が検出できる。例えば、あるタンク水温サーミスタの検出温度が貯湯熱量として使用できる所定温度を超えていた場合は、タンク１０内の最上部からそのタンク水温サーミスタの位置までは給湯に使用できる湯が貯まっていることになる。
【００２３】
また、タンク水温サーミスタ３０ａ〜３０ｇのうち、タンク水温サーミスタ３０ａ、３０ｂは、タンク１０内の上部に設置されている追焚き用熱交換器４１に相当する位置に設けられている。タンク水温サーミスタ３０ａまたは３０ｂは、追焚き運転時に浴槽水と熱交換されるタンク内上部の高温水の水温を検出する機能を有する。最上部に位置するタンク水温サーミスタ３０ａは、高温取出管１２に吸入される高温の湯の温度であるタンク１０内最上部の湯温を検出する出湯サーミスタの機能も有している。
【００２４】
タンク１０の下部には、タンク１０内の最下部の給湯用水をヒートポンプユニット２０側に吸入するための吸入口１０２が設けられている。タンク１０の上部には、ヒートポンプユニット２０側から吐出された湯が内部に流入するための吐出口１０３が設けられている。吸入口１０２と吐出口１０３とは加熱用回路２１で接続されており、この加熱用回路２１の一部はヒートポンプユニット２０における水冷媒熱交換器（図示せず）の水側通路となっている。加熱用回路２１のうち、ヒートポンプユニット２０内を通過した部分は、ヒートポンプユニット２０で加熱された高温の湯をタンク１０内に流入させる上部流入管として機能する。
【００２５】
ヒートポンプユニット２０は、冷媒として臨界温度の低い二酸化炭素を使用するヒートポンプサイクルと、加熱用回路２１中に設置された給水ポンプ（図示せず）とから構成される加熱装置の一例である。超臨界のヒートポンプサイクルによれば、一般的なヒートポンプサイクルよりも高温、例えば、８５℃〜９０℃程度の湯をタンク１０内に貯えることができる。
【００２６】
ヒートポンプサイクルは、少なくとも電動式の圧縮機、加熱用熱交換器である水冷媒熱交換器、電気式の膨張弁、及び空気熱交換器が配管で環状に接続されることにより形成されている（いずれの部品も図示せず）。さらに、空気熱交換器の近傍には、空気熱交換器に対して強制風を提供する送風機が設けられている。
【００２７】
ヒートポンプユニット２０は、タンクＥＣＵ２と通信可能なヒートポンプＥＣＵ２２からの制御信号に応じて作動するとともに、その作動状態を操作盤（台所リモコン３、浴室リモコン４）に表示するように構成されている。ヒートポンプユニット２０は、電力供給契約等に基づいて料金設定が安価である深夜料金時間帯において、深夜電力を利用した圧縮機の回転数制御によって、タンク１０内の給湯用水を貯える沸き上げ運転を行う。さらに、ヒートポンプユニット２０は、深夜料金時間帯以外の時間帯においても、タンク１０内の貯湯熱量が不足してくると沸き上げ運転を行う。また、圧縮機の回転数は、種々の運転条件下において所定の吐出能力が出るようにヒートポンプＥＣＵ２２により制御される。
【００２８】
膨張弁は、水冷媒熱交換器から流出する高圧の冷媒を減圧する減圧手段であり、ヒートポンプＥＣＵ２２によって弁開度が電気的に制御される。空気熱交換器は、膨張弁で減圧された冷媒を送風機によって送風される室外空気との熱交換によって蒸発気化させ、圧縮機にガス冷媒を供給する。送風機は、空気熱交換器の熱交換性能を確保するようにヒートポンプＥＣＵ２２によって回転数が制御される。
【００２９】
水冷媒熱交換器は、圧縮機の吐出口より吐出された高温・高圧の冷媒によって水を加熱して高温の湯にする熱交換器である。水冷媒熱交換器の冷媒側通路は、圧縮機の吐出口より吐出された高圧のガス冷媒と水側通路を流れる給湯用水とを熱交換する冷媒流路管により構成されている。水冷媒熱交換器は、冷媒側通路と水側通路の対向する面とが熱交換可能に密着するように配置された二層構造となっている。水側通路は、冷媒側通路の冷媒入口部から冷媒出口部に至る冷媒流路の全長で冷媒と加熱用回路２１を流通する水との熱交換が行われるように構成されている。そして、水側通路の出口部から所定の沸き上げ温度（６５℃〜９０℃程度）相当の温水を取り出した場合に、規定の熱交換性能を出せるように構成されている。
【００３０】
加熱用回路２１の吸入口１０２と水側通路との間には、ヒートポンプユニット２０内に給水ポンプが配設されている。給水ポンプは、内蔵される電動モータによって回転駆動されて、沸き上げ運転時に、タンク１０内の給湯用水を吸入口１０２から吸入し、水側通路内で加熱した後タンク１０の吐出口１０３に還流させるように作動する。給水ポンプは、水側通路の出口側水温が、種々の運転条件下において決定される所定の目標沸き上げ温度となるようにヒートポンプＥＣＵ２２によって回転数が制御される。
【００３１】
高温取出管１２と給水管１１との下流側合流部位には、給湯用混合弁１５が設けられている。給湯用混合弁１５は、温度調節弁であって、高温側の通路、低温側の通路のそれぞれの開口面積比（弁開度）を調節して、高温取出管１２から取出した高温の湯と、給水管１１から供給される給湯水との混合比を調節する。これにより、給湯用混合弁１５は、給湯用混合弁１５よりも下流側に接続された給湯用配管１３に流通させる湯の温度をユーザーが設定する設定温度または設定温度以上に調節する。給湯用混合弁１５の弁開度は、タンクＥＣＵ２によって制御される。
【００３２】
給湯用配管１３は、下流端の給湯端末としての給湯水栓（例えばカラン、シャワー等）へ設定温度に温度調節された湯を導く配管である。給湯用配管１３の中途には、温度検出手段としての給湯サーミスタ１９と流量検出手段としての流量カウンタ１３０が設けられている。給湯サーミスタ１９は、給湯用混合弁１５の下流側で給湯用配管１３内の水温を検出するための電気信号をタンクＥＣＵ２に出力する。
【００３３】
風呂用配管１４は、給湯用混合弁１５よりも上流側で給湯用配管１３から分岐する配管であり、浴槽流出配管５３に接続されて浴槽６０内に湯張り、たし水（たし湯を含む）等を行う時に、風呂設定温度（浴槽水の設定温度）に温度調節された湯水を浴槽６０に導く。風呂用配管１４の中途には、上流側から順に、湯張り用電磁弁１７、逆止弁１４０、湯張り用流量カウンタ１４１、逆止弁１４２が設けられている。湯張り用流量カウンタ１４１は、風呂用配管１４を流下する水量を検出するための電気信号をタンクＥＣＵ２に出力する。
【００３４】
風呂用配管１４と給水管１１の下流側との合流部位には、湯張り用混合弁１６が設けられている。湯張り用混合弁１６は、温度調節弁であって、高温側の通路、低温側の通路のそれぞれの開口面積比（弁開度）を調節して、高温取出管１２から取出した高温の湯と、給水管１１から供給される低温の水との混合比を調節する。これにより、湯張り用混合弁１６は、浴槽６０に供給する湯の温度をユーザーが設定する風呂設定温度に調節する。湯張り用混合弁１６の弁開度は、タンクＥＣＵ２によって制御される。湯張り用電磁弁１７は風呂用配管１４の通路を開閉する弁であり、浴槽６０内への湯張り、差し湯、たし湯等を行う時にタンクＥＣＵ２により制御される。
【００３５】
浴槽６０の側壁には、吐出口６１および吸入口６２を有するアダプタが設けられている。浴槽６０には、吐出口６１から流出した浴槽６０内の浴槽水が通る浴槽流出配管５３と、再び浴槽水が吸入口６２から浴槽６０内に戻るときに通る浴槽流入配管５２と、が設けられている。浴槽流出配管５３の下流端と浴槽流入配管５２の上流端には、タンク１０内の下部に設置される風呂熱回収用熱交換器５１が接続されている。風呂熱回収用熱交換器５１、浴槽流出配管５３、浴槽流入配管５２、及び浴槽６０は、風呂熱回収用回路５０を構成する。
【００３６】
浴槽６０の吐出口６１と風呂熱回収用熱交換器５１との間にある浴槽流出配管５３には、浴槽６０から近い順に、風呂用ポンプ６３、水位センサ６４、フロースイッチ６５、及び湯張りサーミスタ６６が設けられている。風呂用ポンプ６３は、浴槽６０内の浴槽水を風呂熱回収用熱交換器５１側に圧送して、再び浴槽６０に戻すように循環させる電動ポンプであり、タンクＥＣＵ２によってその作動が制御される。また、風呂用ポンプ６３は、浴槽６０内の浴槽水を追焚き用熱交換器４１側に圧送して、再び浴槽６０に戻すように循環させる電動ポンプでもある。フロースイッチ６５は、浴槽流出配管５３内に湯水が流通しているか否かを検出するための流水センサである。
【００３７】
水位センサ６４は、浴槽６０内に湯張りされた浴槽水の湯量、言い換えれば浴槽６０内の水位レベルを求めるための水圧を検出するセンサであり、水圧信号をタンクＥＣＵ２に出力する。つまり、タンクＥＣＵ２は、当該水圧信号に基づいて浴槽６０内の水量を求めることができる。湯張りサーミスタ６６は、浴槽６０内に湯張りを行うとき、浴槽６０の湯を循環させるとき、浴槽６０から風呂熱回収用熱交換器５１へ流出するとき等に、浴槽水温を検出し、検出した浴槽水温の信号をタンクＥＣＵ２に出力する。
【００３８】
風呂熱回収用熱交換器５１と浴槽６０の吸入口６２との間にある浴槽流入配管５２には、追焚きサーミスタ６７が設けられている。追焚きサーミスタ６７は、風呂熱回収用熱交換器５１から浴槽６０へ流入する温度を検出する温度検出手段であり、検出した温度信号をタンクＥＣＵ２に出力する。また、追焚きサーミスタ６７は、追焚き用熱交換器４１から浴槽６０に向けて流出する浴槽水の温度も検出することができる。
【００３９】
風呂熱回収用熱交換器５１は、浴槽水の熱をタンク１０内の下部の低温水領域に回収して浴槽水によって低温水領域に熱を貯えるための風呂熱回収手段である。浴槽流入配管５２には、追焚き用熱交換器４１に通じるバイパス配管４２が接続されている。さらに、浴槽流出配管５３とバイパス配管４２とは、配管の途中で連絡配管４４を介して繋がっている。
【００４０】
バイパス配管４２は、浴槽６０を流出して浴槽流出配管５３を流れてきた浴槽水が、連絡配管４４を経由した後、風呂熱回収用熱交換器５１を通らないで追焚き用熱交換器４１に向かって流れ、さらに浴槽流入配管５２に流入するまでに通る配管である。浴槽流出配管５３、連絡配管４４、バイパス配管４２、追焚き用熱交換器４１、浴槽流入配管５２、及び浴槽６０は、追焚き用回路４０を構成する。
【００４１】
風呂熱回収用熱交換器５１よりも下流に位置する部位の浴槽流入配管５２には、熱回収三方弁５４が設けられている。熱回収三方弁５４は、浴槽流入配管５２における風呂熱回収用熱交換器５１側の通路と、浴槽流入配管５２における浴槽６０側の通路と、バイパス配管４２における追焚き用熱交換器４１側の通路とのうち、いずれか２つの通路を選択して連通させる切換弁である。熱回収三方弁５４は、これら３つの通路の接続部に設けられ、実施する運転（風呂熱回収運転、追焚き運転）に応じて、所定の２つの通路を接続するように、タンクＥＣＵ２によってその作動が制御される。
【００４２】
追焚き用熱交換器４１よりも上流に位置する部位のバイパス配管４２には、風呂三方弁４３が設けられている。風呂三方弁４３は、連絡配管４４の通路と、バイパス配管４２における追焚き用熱交換器４１側の通路と、バイパス配管４２における浴槽流入配管５２側の通路とのうち、いずれか２つの通路を選択して連通させる切換弁である。風呂三方弁４３は、これら３つの通路の接続部に設けられ、実施する運転（風呂熱回収運転、追焚き運転）に応じて、所定の２つの通路を接続するように、タンクＥＣＵ２によってその作動が制御される。
【００４３】
追焚き用熱交換器４１は、風呂三方弁４３及び熱回収三方弁５４による連通通路の切換えと風呂用ポンプ６３の作動とによって、追焚き用回路４０を循環する浴槽水を、タンク１０内の上部の高温水によって加熱することで追焚きする追焚き用熱交換手段である。風呂熱回収用熱交換器５１は、風呂三方弁４３及び熱回収三方弁５４による連通通路の切換えと、風呂用ポンプ６３の作動とによって、風呂熱回収用回路５０を循環する浴槽水の熱量を、タンク１０内下部の低温水に受熱させて、風呂熱を回収する熱交換器である。
【００４４】
風呂熱回収運転の際には、タンクＥＣＵ２は、風呂三方弁４３を制御して図１のＸ１方向の通路を接続し、熱回収三方弁５４を制御して図１のＹ１方向の通路を接続する。このとき、風呂三方弁４３は、連絡配管４４の通路とバイパス配管４２における追焚き用熱交換器４１側の通路とを連通する。熱回収三方弁５４は、浴槽流入配管５２における風呂熱回収用熱交換器５１側の通路と浴槽流入配管５２における浴槽６０側の通路とを連通する。
【００４５】
追焚き運転の際には、タンクＥＣＵ２は、熱回収三方弁５４を制御して図１のＸ２方向の通路を接続し、風呂三方弁４３を制御して図１のＹ１方向の通路を接続する。このとき、熱回収三方弁５４は、バイパス配管４２における追焚き用熱交換器４１側の通路と浴槽流入配管５２における浴槽６０側の通路とを連通する。風呂三方弁４３は、連絡配管４４の通路とバイパス配管４２における追焚き用熱交換器４１側の通路とを連通する。
【００４６】
また、浴槽６０内の浴槽水温度を検出する際には、タンクＥＣＵ２は、風呂三方弁４３を制御して図１のＹ２方向の通路を接続し、熱回収三方弁５４を制御して図１のＸ２方向の通路を接続する。このとき、風呂三方弁４３は、連絡配管４４の通路とバイパス配管４２における浴槽流入配管５２側の通路とを連通する。熱回収三方弁５４は、浴槽流入配管５２における風呂熱回収用熱交換器５１側の通路と、バイパス配管４２における追焚き用熱交換器４１側の通路とを連通する。
【００４７】
風呂熱回収運転、追焚き運転に関する自動制御は、主にタンクＥＣＵ２による各部作動の制御により、実行される。タンクＥＣＵ２は、マイクロコンピュータを主体として構成される。例えば、風呂熱回収運転、追焚き運転を自動で制御する制御装置は、タンクＥＣＵ２、ヒートポンプＥＣＵ２２、またはこれらのＥＣＵを統合するシステムＥＣＵによって構成してもよい。
【００４８】
タンクＥＣＵ２に内蔵されるＲＡＭ、ＲＯＭ等の記憶装置には、給湯運転、風呂熱回収運転、追焚き運転等に関する制御プログラムが記憶されている。タンクＥＣＵ２には、各サーミスタ３０、１８、１９、６６、６７からの温度信号、水位センサ６４からの水位信号、各流量カウンタ１３０、１４１等からの流量信号、フロースイッチ６５からの流水信号、各操作盤からの入力信号等が入力される。タンクＥＣＵ２は、これらの信号と制御プログラムとに基づいて、各混合弁１５、１６、各三方弁４３、５４、湯張り用電磁弁１７、風呂用ポンプ６３を制御し、ヒートポンプＥＣＵ２２は、ヒートポンプユニット２０を制御するように構成される。
【００４９】
台所リモコン３、浴室リモコン４を含む操作盤には、風呂自動運転スイッチ、給湯設定温度スイッチ、湯張りスイッチ、湯張り設定温度スイッチ、湯張り設定湯量スイッチ、追焚きスイッチ、追焚き設定温度スイッチ、風呂熱回収スイッチ等が設けられている。風呂自動運転スイッチが操作されることにより風呂自動運転が設定されると、タンクＥＣＵ２は、浴槽水の温度を風呂設定温度に、浴槽水量を設定湯量に維持するように、必要に応じて追焚き運転、風呂熱回収運転、湯張り、たし水等を実行する。
【００５０】
（沸き上げ運転）
タンクＥＣＵ２は、ヒートポンプＥＣＵ２２を介して、深夜料金時間帯には安価な深夜電力を用いてヒートポンプユニット２０による沸き上げ運転を指示する。この沸き上げ運転では、タンク１０内の下部側の給湯水を加熱用回路２１に循環させ、ヒートポンプユニット２０で加熱し、沸き上げた高温の湯を吐出口１０３からタンク１０の上部側に貯める。沸き上げ運転は、必要な熱量がタンク１０に貯まれば終了する。
【００５１】
（給湯運転、湯張り運転）
昼間の台所や洗面所での湯の使用時、また風呂への湯張り時には、タンクＥＣＵ２は、ユーザーによって操作盤の給湯設定温度スイッチ及び湯張り設定温度スイッチから入力設定される設定温度と適合する湯を、タンク１０の給湯用水を用いて出湯する。この給湯運転、湯張り運転では、給湯用混合弁１５及び湯張り用混合弁１６の弁開度を調節して、タンク１０の導出口１０１から取出される高温の湯と給水管１１から供給される給湯水とを混合して温度調節した湯として供給する。
【００５２】
（風呂自動運転、追焚き運転、風呂熱回収運転）
タンクＥＣＵ２は、浴槽６０内の浴槽水の温度低下に対しては、湯張り運転後の風呂保温設定時間範囲（ユーザーが設定する時間であり、例えば４時間）において、浴槽水温度を設定温度に保持する風呂自動運転を実施する。すなわち、タンクＥＣＵ２は、熱回収三方弁５４、風呂三方弁４３を制御し、風呂用ポンプ６３を作動させ、浴槽６０、浴槽流出配管５３、連絡配管４４、バイパス配管４２、及び浴槽流入配管５２を循環する浴槽水の流れを形成する。
【００５３】
そして、湯張りサーミスタ６６及び追焚きサーミスタ６７の少なくとも一方が検出する浴槽水温度が設定温度より低い場合には、タンクＥＣＵ２は、追焚き運転を実行する。追焚き運転では、タンクＥＣＵ２は、風呂三方弁４３を制御して図１のＹ１方向の通路を接続し、熱回収三方弁５４を制御して図１のＸ２方向の通路を接続するとともに、風呂用ポンプ６３を継続作動させる。これにより、浴槽水は、追焚き用回路４０を循環して追焚き用熱交換器４１によって加熱される。タンクＥＣＵ２は、追焚きサーミスタ６７が検出する温度が設定温度になると、風呂用ポンプ６３を停止させ、追焚き運転を終了する。なお、追焚き運転は、風呂自動運転が設定されているときだけでなく、ユーザーによって操作盤の追焚きスイッチが操作されて運転要求が入力された場合にも実行される。
【００５４】
また、湯張りサーミスタ６６及び追焚きサーミスタ６７の少なくとも一方が検出する浴槽水温度が設定温度より高い場合には、タンクＥＣＵ２は、風呂熱回収運転を実行する。風呂熱回収運転では、タンクＥＣＵ２は、風呂三方弁４３を制御して図１のＹ１方向の通路を接続し、熱回収三方弁５４を制御して図１のＸ１方向の通路を接続するとともに、風呂用ポンプ６３を継続作動させる。なお、風呂熱回収運転は、風呂自動運転が設定されているときだけでなく、ユーザーによって操作盤の風呂熱回収スイッチが操作されて運転要求が入力された場合にも実行される。
【００５５】
次に、給湯装置１の風呂自動運転における風呂温調制御の処理手順について図３のフローチャートを参照して説明する。
【００５６】
タンクＥＣＵ２は、風呂自動運転が設定されている場合に、図３のフローチャートを開始して、以下の風呂温調制御を実行する。また、風呂温調制御は、風呂自動運転の設定が解除された場合には強制的に終了する。
【００５７】
タンクＥＣＵ２は、ステップ１０でフロースイッチ６５の検出信号を取得する。このとき、タンクＥＣＵ２は、風呂三方弁４３を制御して図１のＹ２方向の通路を接続し、熱回収三方弁５４を制御して図１のＸ２方向の通路を接続し、風呂用ポンプ６３を駆動する。これにより、浴槽の中に残湯がある場合には、浴槽水が浴槽流出配管５３、連絡配管４４、風呂三方弁４３、バイパス配管４２、浴槽流入配管５２、浴槽６０を循環するようになる。タンクＥＣＵ２は、この状態でフロースイッチ６５の検出信号を取得する。
【００５８】
そしてステップ２０で、当該取得した検出信号に基づいて、浴槽６０に残湯があるか否かを判定する。ステップ２０で、残湯がないと判定すると、風呂自動運転が設定されている間は、ステップ１０に戻り、以降の各処理を継続する。
【００５９】
ステップ２０で、残湯があると判定すると、タンクＥＣＵ２は、ステップ３０で、湯張りサーミスタ６６等によって検出される浴槽水の温度が風呂設定温度よりも低いか否かを判定する。ステップ３０で浴槽水の温度が風呂設定温度よりも低いと判定すると、浴槽水温度を風呂設定温度に近づけるために、上記の追焚き運転を実行する。
【００６０】
そして、タンクＥＣＵ２は、ステップ５０で、熱回収三方弁５４を制御して図１のＸ２方向の通路を接続し、風呂三方弁４３を制御して図１のＹ１方向の通路を接続する。さらにステップ５１で、風呂用ポンプ６３を駆動する。これにより、バイパス配管４２における追焚き用熱交換器４１側の通路と浴槽流入配管５２における浴槽６０側の通路とが連通し、連絡配管４４の通路とバイパス配管４２における追焚き用熱交換器４１側の通路とが連通する。そして、浴槽水が追焚き用回路４０を循環し、浴槽水は、追焚き用熱交換器４１でタンク１０内上部の高温水から受熱して温度上昇し、浴槽６０に戻ってくる。この追焚き運転により、浴槽６０に貯められた水温は上昇し、風呂設定温度に近づく。
【００６１】
この追焚き運転は、ステップ５２で、浴槽水の温度が風呂設定温度以上であると判定するまで継続する。浴槽水の温度が風呂設定温度よりも低い間は、ステップ５０、５１、５２（風呂昇温制御）を継続する。そして、タンクＥＣＵ２は、ステップ５２で浴槽水の温度が風呂設定温度以上であると判定すると、ステップ５３で、風呂用ポンプ６３の運転を停止して追焚き運転を終了する処理を実行し、ステップ１０に戻る。風呂自動運転が設定されている間は、以降の各処理を継続する。
【００６２】
一方、ステップ３０で浴槽水の温度が風呂設定温度以上であると判定すると、浴槽水の温度がユーザーの要求する温度以上であり、浴槽水の熱量を有効に活用するために、上記の風呂熱回収運転を実行する。
【００６３】
そして、タンクＥＣＵ２は、ステップ４０で、熱回収三方弁５４を制御して図１のＸ１方向の通路を接続し、風呂三方弁４３を制御して図１のＹ１方向の通路を接続する。さらにステップ４１で、風呂用ポンプ６３を駆動する。これにより、連絡配管４４の通路とバイパス配管４２における追焚き用熱交換器４１側の通路とが連通し、浴槽流入配管５２における風呂熱回収用熱交換器５１側の通路と浴槽流入配管５２における浴槽６０側の通路とが連通する。そして、浴槽水が風呂熱回収用回路５０を循環し、浴槽水は、風呂熱回収用熱交換器５１で、タンク１０内下部の低温水に対して放熱し、当該低温水を温度上昇させ、浴槽６０に戻ってくる。この風呂熱回収運転により、浴槽水の温度は低下し、タンク１０内下部に位置する水に浴槽水の熱量が移動して蓄えられる。
【００６４】
風呂熱回収運転中に、ステップ４２で、浴槽水の温度が、タンク水温サーミスタ３０ｇによって検出されるタンク底部の水温よりも高いか否かを判定する。ステップ４２で、タンク底部の水温が浴槽水の温度以上であると判定すると、風呂熱回収ができないため、ステップ４４で、風呂用ポンプ６３の運転を停止して風呂熱回収運転を終了する処理を実行し、ステップ１０に戻る。風呂自動運転が設定されている間は、以降の各処理を継続する。
【００６５】
一方、ステップ４２でタンク底部の水温が浴槽水の温度未満であると判定すると、風呂熱回収運転を、ステップ４３で浴槽水の温度が風呂設定温度よりも低いと判定するまで継続する。浴槽水の温度が風呂設定温度以上である間は、ステップ４０、４１、４２、４３（風呂降温制御）を継続する。そして、タンクＥＣＵ２は、ステップ４３で浴槽水の温度が風呂設定温度よりも低いと判定すると、これ以上風呂熱回収運転を継続してしまうとユーザーの望む風呂設定温度が確保できない。このため、ステップ４４で風呂用ポンプ６３の運転を停止して風呂熱回収運転を終了する処理を実行し、ステップ１０に戻り、風呂自動運転が設定されている間は、以降の各処理を継続する。
【００６６】
このように風呂自動運転の風呂温調制御によれば、ステップ３０の判定結果に応じて、浴槽水の温度を昇温させる追焚き運転と、浴槽水の温度を降温させてタンク１０に給湯用熱量として回収する風呂熱回収運転とを自動的に選択する制御を実施できる。なお、ステップ３０、４３、５２での判定には、「風呂設定温度」を用いているが、例えば、風呂設定温度に対して所定温度の幅（当該幅はゼロでもよい）をもたせた「風呂目標温度」を採用するようにしてもよい。この風呂目標温度を採用することにより、風呂温調制御の過程で、浴槽水の温度が風呂設定温度よりも低下してしまう事態を抑制できる。したがって、入浴中のユーザーに対して、温度低下による不便さを与えにくい給湯装置１を提供できる。
【００６７】
次に、第１実施形態の給湯装置１がもたらす作用効果について説明する。給湯装置１は、追焚き用熱交換器４１と、風呂熱回収用熱交換器５１と、湯張りサーミスタ６６で検出された浴槽水の検出温度を風呂目標温度に近づける風呂自動運転を制御する制御装置（タンクＥＣＵ２）と、を備える。制御装置は、風呂自動運転の実施中に、風呂目標温度と浴槽水の検出温度とに応じて、追焚き運転と風呂熱回収運転とのいずれかを選択して実行し、浴槽水の検出温度を風呂目標温度に近づけるように制御する。
【００６８】
この制御によれば、浴槽水の温度が風呂目標温度（あるいは風呂設定温度）に達していないときには追焚き運転を実施する。また、浴槽水の温度が風呂目標温度（あるいは風呂設定温度）を超えているときには風呂熱回収運転を実施する。このように、追焚き運転と風呂熱回収運転とが連携した制御により、ユーザーの意思に関係なく自動で運転が選択されるため、ユーザーの快適性を確保する風呂自動運転を実現できる。換言すれば、ユーザーの好みによる運転の選択でなく、ユーザーの望む風呂目標温度（例えば、風呂設定温度）を基準にして、風呂目標温度を満たしつつ、浴槽水の熱量を給湯用熱量として有効活用できる制御を実現できるのである。
【００６９】
また、制御装置（タンクＥＣＵ２）は、風呂目標温度（あるいは風呂設定温度）が浴槽水の検出温度よりも高い場合は、追焚き運転を実行する（ステップ５０、５１、５２）。制御装置は、風呂目標温度（あるいは風呂設定温度）が浴槽水の検出温度よりも低い場合は、風呂熱回収運転を実行し（ステップ４０、４１）、さらに風呂目標温度が浴槽水の検出温度よりも高くなると風呂熱回収運転を終了する（ステップ４３、４４）。
【００７０】
この制御によれば、浴槽水の温度と風呂目標瀬底温度との大小に応じて、追焚き運転と風呂熱回収運転のいずれかを実施する。そして、浴槽６０の湯温が風呂目標温度を下回らないように、風呂熱回収運転を継続するため、ユーザーの快適性を損なうことなく、風呂の余分な熱量をタンクに蓄えて後の給湯のために有効活用する制御を提供できる。
【００７１】
また、制御装置は、風呂熱回収運転の実施中に、風呂目標温度が浴槽水の検出温度よりも高くなるか、浴槽水の検出温度よりもタンク１０内の下部の給湯用水の検出温度が高くなるかのいずれかが成立した場合、風呂熱回収運転を終了する（ステップ４２、４３、４４）。
【００７２】
この制御によれば、風呂熱回収運転が選択、実行された場合に、その終了タイミングを上記の２つの条件のいずれかが成立したときに設定できる。したがって、ユーザーのフィリングを損なわず、かつ省エネルギー面にも優れた適切なタイミングで、風呂熱回収運転を終了する制御を提供できる。
【００７３】
（第２実施形態）
第２実施形態では、風呂自動運転における風呂温調制御について、第１実施形態と異なる実施形態を説明する。第２実施形態の風呂温調制御は、ステップ３０で浴槽水の温度が風呂設定温度（前述の風呂目標温度も含む）以上であると判定した場合に実施する風呂降温制御が第１実施形態のものと相違する。
【００７４】
図４のフローチャートにおいて、第１実施形態で説明した図３のフローチャートと同様の処理を実行するステップには同一のステップ番号を付している。以下、第２実施形態について、第１実施形態と異なる実施形態についてのみ説明する。
【００７５】
給湯装置１の風呂自動運転における風呂温調制御の処理手順について図４及び図５のフローチャートを参照して説明する。図５のフローチャートは、風呂降温制御のサブルーチンの処理手順を示す。タンクＥＣＵ２は、風呂自動運転が設定されている場合に、図４のフローチャートを開始して、以下の風呂温調制御を実行する。また、風呂温調制御は、風呂自動運転の設定が解除された場合には強制的に終了する。
【００７６】
タンクＥＣＵ２は、図４に示すステップ３０で、湯張りサーミスタ６６等によって検出される浴槽水の温度が風呂設定温度以上であると判定すると、浴槽水の熱量を有効に活用するために、ステップ６０の風呂降温制御ルーチンを実行する。
【００７７】
以下、風呂降温制御ルーチンについて説明する。タンクＥＣＵ２は、図５に示すステップ６１０で、熱回収三方弁５４を制御して図１のＸ１方向の通路を接続し、風呂三方弁４３を制御して図１のＹ１方向の通路を接続する。さらにステップ６２０で、風呂用ポンプ６３を駆動する。これにより、連絡配管４４の通路とバイパス配管４２における追焚き用熱交換器４１側の通路とが連通し、浴槽流入配管５２における風呂熱回収用熱交換器５１側の通路と浴槽流入配管５２における浴槽６０側の通路とが連通する。そして、浴槽水が風呂熱回収用回路５０を循環し、浴槽水は、風呂熱回収用熱交換器５１で、タンク１０内下部の低温水に対して放熱し、当該低温水を温度上昇させ、浴槽６０に戻ってくる。この風呂熱回収運転により、浴槽水の温度は低下し、タンク１０内下部に位置する水に浴槽水の熱量が移動して蓄えられる。
【００７８】
タンクＥＣＵ２は、この風呂熱回収運転中に、ステップ６３０で浴槽６０に貯められている熱量を算出する。この浴槽内熱量は、浴槽６０の水量、水温を用いて算出することができる。タンクＥＣＵ２は、水位センサ６４によって検出される電気信号を取得して浴槽の水量を算出し、湯張りサーミスタ６６が検出する電気信号を取得して水温を算出する。
【００７９】
次に、風呂熱回収運転中に、ステップ６４０で、浴槽６０の水温がタンク水温サーミスタ３０ｇによって検出されるタンク底部の水温よりも高いか否かを判定する。ステップ６４０で、タンク底部の水温が浴槽６０の水温未満であると判定すると、風呂熱回収運転を、ステップ６５０で浴槽６０の水温が風呂設定温度よりも低いと判定するまで継続する。
【００８０】
浴槽水の温度が風呂設定温度以上である間は、ステップ６１０、６２０、６３０、６４０（風呂熱回収運転）を継続する。そして、タンクＥＣＵ２は、ステップ６５０で浴槽水の温度が風呂設定温度よりも低いと判定すると、これ以上風呂熱回収運転を継続してしまうとユーザーの望む風呂設定温度が確保できない。このため、ステップ６７０で風呂用ポンプ６３の運転を停止して風呂熱回収運転を終了する処理を実行し、ステップ１０に戻り、風呂自動運転が設定されている間は、以降の各処理を継続する。
【００８１】
一方、ステップ６４０でタンク底部の水温が浴槽６０の水温以上であると判定すると、風呂熱回収は実施できない。そして、タンクＥＣＵ２は、ステップ６６０で風呂用ポンプ６３の運転を停止して浴槽水の循環を停止した後、ステップ６６１で、先のステップ６３０で算出した浴槽内熱量が目標浴槽内熱量以上であるか否かを判定する。タンクＥＣＵ２は、入力されている設定湯量（浴槽６０に貯める湯量として設定された値）と風呂設定温度とを用いて目標浴槽内熱量を算出できる。設定湯量は、例えば、湯張り設定湯量スイッチの操作によって設定された値や、風呂自動運転の設定時に予め設定されている値である。
【００８２】
ステップ６６１で浴槽内熱量が目標浴槽内熱量に達していないと判定すると、ステップ１０に戻り、風呂自動運転が設定されている間は、以降の各処理を継続する。ステップ６６１で浴槽内熱量が目標浴槽内熱量以上であると判定すると、浴槽水の温度を風呂設定温度に近づけるために、タンクＥＣＵ２は、ステップ６６２で、たし水を実施するときの浴槽６０内に補充する水量を算出する。この補充水量は、ステップ６３０で算出された浴槽内熱量に対して目標浴槽内熱量にするために、すなわち風呂設定温度まで浴槽水の温度を降温させるために、浴槽６０に供給する必要のある水量として算出される。
【００８３】
そして、タンクＥＣＵ２は、ステップ６６３で、湯張り用混合弁１６及び湯張り用電磁弁１７を制御して、算出した補充水量分の注水を浴槽６０内に行う。次にステップ６６４で、注水処理を行った後の浴槽６０の水温が、風呂設定温度以下であるか否かを判定する。ステップ６６４で、浴槽６０の水温がまだ風呂設定温度よりも高いと判定すると、ステップ１０に戻り、風呂自動運転が設定されている間は、以降の各処理を継続する。
【００８４】
ステップ６６４で、浴槽６０の水温が風呂設定温度以下であると判定すると、タンクＥＣＵ２は、ステップ６６５で湯張り用混合弁１６及び湯張り用電磁弁１７を制御して注水処理を終了し、ステップ１０に戻り、引き続き以降の各処理を継続する。
【００８５】
このように風呂自動運転の風呂降温制御によれば、ステップ６４０の判定結果に応じて、浴槽６０内の熱量とタンク１０内の熱量との関係から風呂熱回収運転ができない状況でも、浴槽水の温度をユーザーが望む温度に合わせることができる。
【００８６】
第２実施形態によれば、制御装置（タンクＥＣＵ２）は、浴槽６０に貯められた浴槽内熱量を算出する浴槽内熱量手段（ステップ６３０）を有する。制御装置は、さらに、算出された浴槽内熱量を風呂目標温度に適合する目標浴槽内熱量にするために、浴槽６０に供給する必要のある補充水量を算出する補充水量算出手段（ステップ６６２）を有する。制御装置は、風呂自動運転の実施中に、風呂目標温度が浴槽水の検出温度よりも低く、かつ、タンク１０内の下部の給湯用水の検出温度が浴槽水の検出温度よりも高い場合には、補充水量算出手段によって算出された補充水量の水を浴槽６０に供給する。
【００８７】
浴槽水の温度が風呂目標温度または風呂設定温度よりも高い場合でも、浴槽水の熱量が不足しており、タンク１０内の下部の給湯用水温度よりも低いと、風呂熱回収運転ができない。そこで、上記の制御によれば、風呂熱回収運転ができない場合に限り、算出した補充水量のたし水を浴槽６０内に供給することにより、浴槽水の温度を風呂設定温度に近づけることができる。したがって、浴槽水の温度が風呂設定温度に達していないときには追焚き運転を実施し、浴槽水の温度が風呂設定温度を超えていて風呂熱回収運転ができないときには、例外的にたし水を実施してユーザーの快適性を確保する風呂自動運転を実現できる。
【００８８】
（他の実施形態）
以上、本発明の好ましい実施形態について説明したが、本発明は上述した実施形態に何ら制限されることなく、本発明の主旨を逸脱しない範囲において種々変形して実施することが可能である。
【００８９】
上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００９０】
上記実施形態では、風呂熱回収運転及び追焚き運転の自動制御を実行する制御装置は、タンクＥＣＵ２であるが、本発明はこの形態に限定されるものではない。例えば、風呂自動運転において風呂熱回収運転、追焚き運転を制御する制御装置は、タンクＥＣＵ２、ヒートポンプＥＣＵ２２、またはこれらのＥＣＵを統合するシステムＥＣＵによって構成してもよい。
【００９１】
上記実施形態では、給湯装置に含まれる給湯用水を加熱する加熱装置として、ヒートポンプユニット２０を採用した例を示しているが、本発明はこの形態に限定されるものではない。例えば、給湯装置は、高温水をタンク内に貯えるために、タンクと加熱装置との間で給湯用水を循環させるウォータポンプ等の電気機器を有する装置、電気ヒータで水を直接加熱する電気給湯機、ガスや灯油を燃料として湯を沸き上げる給湯装置等であってもよい。
【００９２】
上記実施形態では、追焚き用熱交換器４１、風呂熱回収用熱交換器５１は、タンク１０内に配置される通路により構成されているが、本発明はこの形態に限定されるものではない。例えば、本発明に係る追焚き用熱交換器４１は、タンク１０の外部に設置されて、循環させたタンク１０内上部の高温水と熱交換することにより、浴槽水を加熱する熱交換器であってもよい。また、風呂熱回収用熱交換器５１は、タンク１０の外部に設置されて、循環させたタンク１０内下部の低温水と熱交換することにより、浴槽水の熱量をタンク１０内部に回収する熱交換器であってもよい。
【００９３】
上記実施形態では、ヒートポンプユニット２０は、水を沸き上げて生成した給湯用水を直接タンク１０に供給するが、本発明に係る加熱装置は、このような形態に限定されない。例えば、ヒートポンプユニット２０は、何らかの流体を沸き上げ、その流体をタンク１０に直接供給するのではなく、流体の熱量をタンク１０に貯えられる給湯用水に対して熱交換器等を介して与える形態でもよい。
【００９４】
また、ヒートポンプユニット２０のヒートポンプサイクルを流れる作動冷媒は、二酸化炭素に限定されるものではなく、フロン等の他の冷媒であってもよい。
【符号の説明】
【００９５】
１…給湯装置
２…タンクＥＣＵ（制御装置）
１０…タンク
２０…ヒートポンプユニット（加熱装置）
４１…追焚き用熱交換器（追焚き用熱交換手段）
５１…風呂熱回収用熱交換器（風呂熱回収手段）
６０…浴槽
６６…湯張りサーミスタ（温度検出手段）
【図１】
2014178064.tif 000003
【図２】
2014178064.tif 000004
【図３】
2014178064.tif 000005
【図４】
2014178064.tif 000006
【図５】
2014178064.tif 000007